(57)【特許請求の範囲】
【請求項１】
圃場を走行する走行車体（２）と、この走行車体（２）に昇降可能に設けられ土壌に苗を植付ける苗植付部（４）と、この苗植付部（４）の植付け位置よりも上記走行車体（２）
の前部に設けた施肥ガイド（６３）から上記土壌に肥料を吐出する施肥装置（５）と、上
記施肥ガイド（６３）よりも上記走行車体（２）の前部に配置した左右の走行車輪（１０
）に設けられ上記土壌中に突入する左右一対の検出子（７１ａ）と、これらの検出子（７
１ａ）間の通電抵抗または電気伝導度を検出して上記土壌の肥料濃度を検出する肥料濃度
センサ（７１）と、上記肥料濃度センサ（７１）の検出値に基づいて上記施肥装置（５）
の施肥量を変更する制御装置（７２）と、を備えた苗移植機において、
前記苗植付部（４）の下部に設けられ土壌面で滑走して整地するセンサフロート（５５）と、土壌中に位置するようにセンサフロート（５５）に設けられて前記土壌の温度を検出する温度センサ（７３）を備え、この温度センサ（７３）の検出値に基づいて上記肥料濃度センサ（７１）の検出値を補正することを特微とする苗移植機。
【請求項２】
前記施肥装置（５）の施肥ガイド（６３）よりも走行車体（２）の前部に、圃場の耕盤深さを検出する耕盤深さセンサ（７４）を設け、
前記制御装置（７２）は、上記耕盤深さセンサ（７４）の検出データに基づいて施肥装置（５）の施肥量を変更する構成としたことを特徴とする請求項１に記載の苗移植機。
【請求項３】
前記走行車体（２）は、ＧＰＳ信号を受信して自身の位置データを取得するＧＰＳ受信機（７５）と、このＧＰＳ受信機（７５）が取得した上記位置データ毎に圃場内各所における肥料濃度および施肥量のデータを記憶するデータボックス（７６）とを備え、
制御装置（７２）は、上記走行車体（２）を所望の走行経路で走行するよう制御するとともに、上記データボックス（７６）に記憶されたデータに基づいて施肥装置（５）の施肥量を変更する構成としたことを特徴とする請求項１または２に記載の苗移植機。
【請求項４】
制御装置（７２）は、肥料濃度センサ（７１）の検出データと温度センサ（７３）の検出データと耕盤深さセンサ（７４）の検出データとを統合し、前記施肥装置（５）の施肥量を変更することを特徴とする請求項１または２に記載の苗移植機。
【請求項５】
前記温度センサ（７３）は、前記センサフロート（５５）の回動支点（５５ｐ）の近傍に設け、該温度センサ（７３）を取り付ける温度センサ取付部（７３ａ）の温度センサベース後端（７３ｂ）を下方に屈曲させ、
前記耕盤深さセンサ（７４）は、前記走行車体（２）のフロアステップ（３５）よりも上方で、且つフロアステップ（３５）よりも機体外側位置に配置し、
前記走行車体（２）の操作パネル（３９）にＧＰＳ受信機（７５）を設け、該ＧＰＳ受信機（７５）の作動ランプ（７５ｍ）を、前記走行車体（２）の運転席（３１）から目視可能な位置に配置したことを特徴とする請求項１から４のいずれか１項に記載の苗移植機。
【請求項６】
圃場を走行する走行車体（２）と、この走行車体（２）に昇降可能に設けられ土壌に苗を植付ける苗植付部（４）と、この苗植付部（４）の植付け位置よりも上記走行車体（２）
の前部に設けた施肥ガイド（６３）から上記土壌に肥料を吐出する施肥装置（５）と、上
記施肥ガイド（６３）よりも上記走行車体（２）の前部に配置した左右の走行車輪（１０
）に設けられ上記土壌中に突入する左右一対の検出子（７１ａ）と、これらの検出子（７
１ａ）間の通電抵抗または電気伝導度を検出して上記土壌の肥料濃度を検出する肥料濃度
センサ（７１）と、上記肥料濃度センサ（７１）の検出データに基づいて上記施肥装置（
５）の施肥量を変更する制御装置（７２）とを備えた苗移植機において、
上記左右一対の検出子（７１ａ）は、その外周が上記走行車輪（１０）の外形よりも小径の円形状に構成されて上記走行車輪（１０）の左右幅内にそれぞれ配置され、
上記走行車輪（１０）の車軸（８０）と一体回転し上記検出子（７１ａ）に接続する回転側電極（８１）と、上記走行車輪（１０）の車軸（８０）を支持するカバー（８２）内に設けられ上記回転側電極（８１）に接触する固定側電極（８３）とを備え、上記回転側電極（８１）および上記固定側電極（８３）の一方をリング状に構成するとともに、他方を接触子とし、
さらに、下側ほど左右方向外側に偏位する上下方向のキングピン軸（８４）と、このキングピン軸（８４）から走行車輪（１０）の車軸（８０）へ伝動する一対のべベルギヤ（８５）とを備え、べベルギヤ（８５）は車軸（８０）を設けた中心部分を凹状に構成し、該凹状の中心部分に上記カバー（８２）を配置させるとともに、
固定側電極（８３）へ導電する電線（８６）を、機体正面視で上記キングピン軸（８４）
に沿って下側ほど左右方向外側に偏位させて配置することを特徴とする苗移植機。
【請求項７】
走行車輪（１０）の車軸（８０）には、回転側電極（８１）へ導電する電線（８８）を通すための孔（８９）または溝を形成したことを特徴とする請求項６に記載の苗移植機。
【請求項８】
走行車輪（１０）のスポーク部（９０）に検出子（７１ａ）を固定する固定具（９５）を備え、
この固定具（９５）は、上記検出子（７１ａ）を上記スポーク部（９０）に固定した際に機体正面視で上記走行車輪（１０）の車軸（８０）側に突出する尖った断面形状に形成されることを特徴とする請求項６または７に記載の苗移植機。
【請求項９】
前記カバー（８２）を構成する内側フロントアクスルカバー（８２ｉ）と外側フロントアクスルカバー（８２ｏ）間の空間部分に回転側電極（８１）を設け、
前記べベルギヤ（８５）の凹状の中心部分に前記内側フロントアクスルカバー（８２ｉ）を配置させたことを特徴とする請求項６から８のいずれか１項に記載の苗移植機。
【発明の詳細な説明】
【技術分野】
【０００１】
この発明は、圃場を走行し、土壌に肥料を施しながら苗を植付ける苗移植機の分野に係る
ものである。
【背景技術】
【０００２】
このような苗移植機は例えば特許文献１に開示されており、圃場の肥料濃度、泥部の硬軟
および深度を各種センサで検出し、これらの検出データに基づいて施肥量を変更している
。
【先行技術文献】
【特許文献】
【０００３】
【特許文献１】特開２０１０−００００１９号公報
【発明の概要】
【発明が解決しようとする課題】
【０００４】
従来の施肥方法では、圃場の残留濃度に応じた施肥制御で一様な施肥を行っても、部分的
な生育不足による収量低下や、過剰生育に伴う徒長倒伏による収穫能率の低下を招き、一
様な最適生育の実現のために種々の施肥制御が試行されていた。
【０００５】
この発明の目的は、簡易な測定方法で精度良く一様施肥を実現することにある。
【課題を解決するための手段】
【０００６】
請求項１記載の発明に係る苗移植機は、
圃場を走行する走行車体（２）と、この走行車体（２）に昇降可能に設けられ土壌に苗を植付ける苗植付部（４）と、この苗植付部（４）の植付け位置よりも上記走行車体（２）
の前部に設けた施肥ガイド（６３）から上記土壌に肥料を吐出する施肥装置（５）と、上
記施肥ガイド（６３）よりも上記走行車体（２）の前部に配置した左右の走行車輪（１０
）に設けられ上記土壌中に突入する左右一対の検出子（７１ａ）と、これらの検出子（７
１ａ）間の通電抵抗または電気伝導度を検出して上記土壌の肥料濃度を検出する肥料濃度
センサ（７１）と、上記肥料濃度センサ（７１）の検出値に基づいて上記施肥装置（５）
の施肥量を変更する制御装置（７２）と、を備えた苗移植機において、
前記苗植付部（４）の下部に設けたセンサフロート（５５）を土壌面で滑走して整地す
ると共に、センサフロート（５５）に設けた温度センサ（７３）を土壌中に位置させて土
壌の温度を検出し、この検出値に基づいて上記肥料濃度センサ（７１）の検出値を補正す
ることを特微とするものである。
【０００７】
請求項２記載の発明に係る苗移植機は、請求項１の記載に加えて、
前記施肥装置（５）の施肥ガイド（６３）よりも走行車体（２）の前部に、圃場の耕盤深さを検出する耕盤深さセンサ（７４）を設け、
前記制御装置（７２）は、上記耕盤深さセンサ（７４）の検出データに基づいて施肥装置（５）の施肥量を変更する構成としたことを特徴とするものである。
【０００８】
請求項３記載の発明に係る苗移植機は、請求項１または請求項２の記載に加えて、
前記走行車体（２）は、ＧＰＳ信号を受信して自身の位置データを取得するＧＰＳ受信機（７５）と、このＧＰＳ受信機（７５）が取得した上記位置データ毎に圃場内各所における肥料濃度および施肥量のデータを記憶するデータボックス（７６）とを備え、
制御装置（７２）は、上記走行車体（２）を所望の走行経路で走行するよう制御するとともに、上記データボックス（７６）に記憶されたデータに基づいて施肥装置（５）の施肥量を変更する構成としたことを特徴とするものである。
【０００９】
請求項４記載の発明に係る苗移植機は、請求項１または２の記載に加えて、
制御装置（７２）は、肥料濃度センサ（７１）の検出データと温度センサ（７３）の検出データと耕盤深さセンサ（７４）の検出データとを統合し、前記施肥装置（５）の施肥量を変更することを特徴とするものである。
【００１０】
請求項５記載の発明に係る苗移植機は、請求項１から４のいずれか１項の記載に加えて、
前記温度センサ（７３）は、前記センサフロート（５５）の回動支点（５５ｐ）の近傍に設け、該温度センサ（７３）を取り付ける温度センサ取付部（７３ａ）の温度センサベース後端（７３ｂ）を下方に屈曲させ、
前記耕盤深さセンサ（７４）は、前記走行車体（２）のフロアステップ（３５）よりも上方で、且つフロアステップ（３５）よりも機体外側位置に配置し、
前記走行車体（２）の操作パネル（３９）にＧＰＳ受信機（７５）を設け、該ＧＰＳ受信機（７５）の作動ランプ（７５ｍ）を、前記走行車体（２）の運転席（３１）から目視可能な位置に配置したことを特徴とするものである。
【００１１】
請求項６記載の発明に係る苗移植機は、
圃場を走行する走行車体（２）と、この走行車体（２）に昇降可能に設けられ土壌に苗を植付ける苗植付部（４）と、この苗植付部（４）の植付け位置よりも上記走行車体（２）
の前部に設けた施肥ガイド（６３）から上記土壌に肥料を吐出する施肥装置（５）と、上
記施肥ガイド（６３）よりも上記走行車体（２）の前部に配置した左右の走行車輪（１０
）に設けられ上記土壌中に突入する左右一対の検出子（７１ａ）と、これらの検出子（７
１ａ）間の通電抵抗または電気伝導度を検出して上記土壌の肥料濃度を検出する肥料濃度
センサ（７１）と、上記肥料濃度センサ（７１）の検出データに基づいて上記施肥装置（
５）の施肥量を変更する制御装置（７２）とを備えた苗移植機において、
上記左右一対の検出子（７１ａ）は、その外周が上記走行車輪（１０）の外形よりも小径の円形状に構成されて上記走行車輪（１０）の左右幅内にそれぞれ配置され、
上記走行車輪（１０）の車軸（８０）と一体回転し上記検出子（７１ａ）に接続する回転側電極（８１）と、上記走行車輪（１０）の車軸（８０）を支持するカバー（８２）内に設けられ上記回転側電極（８１）に接触する固定側電極（８３）とを備え、上記回転側電極（８１）および上記固定側電極（８３）の一方をリング状に構成するとともに、他方を接触子とし、
さらに、下側ほど左右方向外側に偏位する上下方向のキングピン軸（８４）と、このキングピン軸（８４）から走行車輪（１０）の車軸（８０）へ伝動する一対のべベルギヤ（８５）とを備え、べベルギヤ（８５）は車軸（８０）を設けた中心部分を凹状に構成し、該凹状の中心部分に上記カバー（８２）を配置させるとともに、
固定側電極（８３）へ導電する電線（８６）を、機体正面視で上記キングピン軸（８４）
に沿って下側ほど左右方向外側に偏位させて配置することを特徴とするものである。
【００１２】
請求項７記載の発明に係る苗移植機は、請求項６の記載に加えて、走行車輪（１０）の
車軸（８０）には、回転側電極（８１）へ導電する電線（８８）を通すための孔
（８９）または溝を形成したことを特徴とするものである。
【００１３】
請求項８記載の発明に係る苗移植機は、請求項６または請求項７の記載に加えて、
走行車輪（１０）のスポーク部（９０）に検出子（７１ａ）を固定する固定具（９５）を備え、
この固定具（９５）は、上記検出子（７１ａ）を上記スポーク部（９０）に固定した際に機体正面視で上記走行車輪（１０）の車軸（８０）側に突出する尖った断面形状に形成されることを特徴とするものである。
【００１４】
請求項９記載の発明に係る苗移植機は、請求項６から８のいずれか１項の記載に加えて、
前記カバー（８２）を構成する内側フロントアクスルカバー（８２ｉ）と外側フロントアクスルカバー（８２ｏ）間の空間部分に回転側電極（８１）を設け、
前記べベルギヤ（８５）の凹状の中心部分に前記内側フロントアクスルカバー（８２ｉ）を配置させたことを特徴とするものである。

【発明の効果】
【００１５】
請求項１記載の発明によれば、圃場を走行する走行車体（２）と、この走行車体（２）に
昇降可能に設けられ土壌に苗を植付ける苗植付部（４）と、この苗植付部（４）の植付け
位置よりも走行車体（２）の前部に設けた施肥ガイド（６３）から土壌に肥料を吐出する
施肥装置（５）と、施肥ガイド（６３）よりも走行車体（２）の前部に配置した左右の走
行車輪（１０）に設けられ土壌中に突入する左右一対の検出子（７１ａ）と、これらの検
出子（７１ａ）間の通電抵抗または電気伝導度を検出して土壌の肥料濃度を検出する肥料
濃度センサ（７１）と、肥料濃度センサ（７１）の検出データに基づいて施肥装置（５）
の施肥量を変更する制御装置（７２）とを備えた苗移植機において、土壌の温度を検出す
る温度センサ（７３）を備え、この温度センサ（７３）の検出値に基づいて肥料濃度セン
サ（７１）の検出値を補正するようにしたので、土壌の温度の違いによる通電抵抗または
電気伝導度の変化に合わせて施肥量を適量に変更できるようになり、簡易な測定方法で施
肥精度が向上するという効果が得られる。
また請求項１記載の発明によれば、苗植付部（４）を所望の対地高さに昇降制御するとともに土壌面を滑走して整地するセンサフロート（５５）を走行車体（２）に備え、温度センサ（７３）をこのセンサフロート（５５）に設ける構成としたことにより、圃場の凹凸に追従して苗植付部（４）が上下動しても温度センサ（７３）は土壌中に位置し続けるので、温度センサ（７３）の検出が途切れることを防止でき、施肥精度がいっそう向上するという効果が得られる。

【００１６】
（削除）
【００１７】
請求項２記載の発明によれば、請求項１に記載の効果に加えて、施肥装置（５）の施肥ガ
イド（６３）よりも走行車体（２）の前部に、圃場の耕盤深さを検出する耕盤深さセンサ
（７４）を備え、この耕盤深さセンサ（７４）の検出データに基づいて施肥装置（５）の
施肥量を変更する制御を制御装置（７２）で行なう構成としたので、耕盤深さの変化に合
わせて適量に施肥量を変更することができるようになり、施肥精度がいっそう向上すると
いう効果が得られる。
【００１８】
請求項３記載の発明によれば、請求項１または２のいずれか１項に記載の効果に加えて、走行車体（２）は、ＧＰＳ信号を受信して自身の位置データを取得するＧＰＳ受信機（７５）と、このＧＰＳ受信機（７５）が取得した位置データ毎に圃場内各所における肥料濃度および施肥量のデータを記憶するデータボックス（７６）とをさらに備え、制御装置（７
２）は、走行車体（２）を所望の走行経路で走行するよう制御するとともに、データボッ
クス（７６）に記憶されたデータに基づいて施肥装置（５）の施肥量を変更するようにし
たので、同じ圃場や条件の似た圃場で施肥作業を行う際の基準となるデータを取得できる
ようになり、次回以降の施肥精度が向上するという効果が得られる。
また、取得したデータボックス（７６）内のデータに基づき最適な施肥作業を行うことが
できるとともに、制御装置（７２）が走行車体（２）を所望の走行経路で走行するよう制
御するようになり、作業の無人化を図ることができるという効果が得られる。
【００１９】
請求項４記載の発明によれば、請求項１または２のいずれか１項に記載の効果に加えて、制御装置（７２）は、肥料濃度センサ（７１）の検出データと温度センサ（７３）の検出データと耕盤深さセンサ（７４）の検出データとを統合して施肥装置（５）の施肥量を変更するようにしたので、作業条件の変化に追従して施肥量を適量に変更させることができるようになり、施肥精度がいっそう向上するとともに、様々な作業条件に適応できるという効果が得られる。
【００２０】
請求項５記載の発明によれば、請求項１から４のいずれか１項に記載の発明の効果に加えて、温度センサ（７３）を回動支点（５５ｐ）の近傍に設けたことにより、センサフロート（５５）が回動する際の温度センサ（７３）の深さの変動が小さくなるので、温度センサ（７３）の検知精度が低下することが防止される。
また、温度センサ（７３）が形成した土壌の溝を、温度センサベース後端（７３ｂ）の屈曲部で塞ぐことができる。
そして、圃場面から上方に大幅に離間した位置に耕盤深さセンサ（７４）が配置されることにより、耕盤深さセンサ（７４）の感知部分に泥が付着することを防止できるので、耕盤深さが常に適切に感知されて施肥量が適正な値に補正され、施肥精度が向上する。
さらに、操作パネル（３９）にＧＰＳ受信機（７５）を設けたことにより、ＧＰＳ受信機（７５）が周辺部材の影響を受けにくくなるので、ＧＰＳ受信機（７５）の高感度化が図られる。
そして、ＧＰＳ受信機（７５）の作動ランプ（７５ｍ）を運転席（３１）から目視可能な位置に配置したことにより、運転席（３１）に座ったままＧＰＳ受信機（７５）の作動が確認できるので、作業能率が向上する。
【００２１】
請求項６記載の発明によれば、下側ほど左右方向外側に偏位する上下方向のキングピン軸（８４）と、このキングピン軸（８４）から走行車輪（１０）の車軸（８０）へ伝動する一対のべベルギヤ（８５）とを備え、べベルギヤ（８５）は車軸（８０）を設けた中心部分を凹状に構成し、該凹状の中心部分に上記カバー（８２）を配置させるとともに、
固定側電極（８３）へ導電する電線（８６）を、機体正面視でキングピン軸（８４）に沿って下側ほど左右方向外側に偏位させて配置するようにしたので、電線（８６）が走行車輪（１０）に接触しない構成とすることができるとともに、旋回時に電線（８６）が移動する距離を小さくすることができるようになり、電線（８６）が切れて肥料濃度センサ（７１）が機能停止することを防止できるという効果が得られる。
【００２２】
請求項７記載の発明によれば、請求項６に記載の効果に加えて、走行車輪（１０）の車軸（８０）は、回転側電極（８１）へ導電する電線（８８）を通すための孔（８９）または溝が形成されるようにしたので、電線（８８）を車軸（８０）の周りに配置できるようになり、コンパクトにカバー（８２）を構成できるという効果が得られる。
【００２３】
請求項８記載の発明によれば、請求項６または７のいずれか１項に記載の効果に加えて、走行車輪（１０）のスポーク部（９０）に検出子（７１ａ）を固定する固定具（９５）を備え、この固定具（９５）は、検出子（７１ａ）をスポーク部（９０）に固定した際に機体正面視で走行車輪（１０）の車軸（８０）側へ尖った断面形状に形成されるようにしたので、走行時に泥が跳ねてかかることがあっても、泥は固定具（９５）の傾斜面９５ｓに沿って下方に落下案内されるようになり、泥詰まりがおきにくく、作業終了後に泥を除去する作業が容易になるという効果が得られる。
また、圃場周辺の路上に泥を落としにくくなるので、この泥を路上から除去する作業が容
易かつ短時間で行えるようになり、作業者の労力が軽減されるという効果が得られる。
また請求項９記載の発明によれば、請求項６から８のいずれか１項に記載の発明の効果に加えて、内側フロントアクスルカバー（８２ｉ）と外側フロントアクスルカバー（８２ｏ）間の空間部分に回転側電極（８１）を設け、前記べベルギヤ（８５）の凹状の中心部分に前記内側フロントアクスルカバー（８２ｉ）を配置させたことで、回転側電極（８１）を構成するスペースを大きく確保することができる。
【図面の簡単な説明】
【００２４】
【図１】この発明の苗移植機の構成を示す側面図である。
【図２】この発明の苗移植機の構成を示す上面図である。
【図３】温度センサとサイドフレームとフロート調節アームとの関係を示す要部上面図である。
【図４】センサフロートの回動支点近傍に設けた温度センサの構成を示す要部側面図である。
【図５】温度センサを取付けるための温度センサ取付部の構成を示す斜視図である。
【図６】耕盤深さセンサをセンターマスコットに設けた苗移植機の構成を示す要部側面図である。
【図７】データボックスを予備苗載台の最上段に設けた苗移植機の構成を示す要部正面図である。
【図８】一方の走行車輪周辺の構成を示す側面図である。
【図９】一方の走行車輪周辺の構成を示す断面図である。
【図１０】フロントアクスルカバー内の構成を示す要部側面図である。
【図１１】検出子をスポーク部に固定するための固定具の構成を示す断面図である。
【図１２】検出子に形成した泥除け壁の構成を示す要部断面図である。
【図１３】機体正面視でＶ字形の断面形状を持つ固定具を備えた一方の走行車輪周辺の構成を示す側面図および断面図である。
【図１４】絶縁体のフロントアクスルカバーを備えた走行車輪周辺の構成を示す断面図である。
【図１５】絶縁体のフロントアクスルカバーを備えた走行車輪周辺の構成を示す側面図である。
【発明を実施するための形態】
【００２５】
以下、図面を参照しつつ、この発明の実施の形態を詳細に説明する。なお、各図面では、
同一の構成または相当する構成については同一の符号を付す。
本願発明の苗移植機の構成を示す側面図および上面図である図１，図２において、１は本
願発明の苗移植機、２は圃場を走行する走行車体、３は平行リンク構成の昇降リンク装置
、４は土壌に苗を植付ける苗植付部、５は圃場に肥料を施す施肥装置である。走行車体２
の後部には昇降リンク装置３を介して複数条植の苗植付部４が昇降可能に装着されており
、走行車体２の後部上側には施肥装置５が設けられている。
【００２６】
また図１，図２において、１０，１１はそれぞれ走行車体２の前部および後部に設けられ
た左右一対の走行車輪、１２は走行車体２の前部に配置されたミッションケース、３１は
走行車体２の運転席、３２は各種操作機構を内蔵したフロントカバー、３３は直進走行の
指標となるセンターマスコット、３４はフロントカバー３２の上方に設けられ走行車輪１
０を操向操作する操舵ハンドル、３５は走行車体２のフロアステップ、３８は走行車体２
の前部左右両側でかつ機体よりも側方に張り出して設けられた補給用の苗を載せる予備苗
載台、３９は苗移植機１を操作するための操作パネルである。
【００２７】
さらに図１，図２において、５１は苗を載せる苗載台、５２は苗載台５１から供給された
苗を土壌に植付ける苗植付装置、５５，５６はそれぞれ苗植付部４下部の中央および左右
両側に設けられダンパー機能により苗植付部４を所望の対地高さに昇降制御するとともに
機体の走行により土壌面を滑走して整地するセンサフロートおよびサイドフロート、６０
は肥料を貯留する肥料ホッパ、６１は肥料ホッパ６０の肥料繰出量を増減変更する繰出量
変更手段、６２は繰出量変更手段６１が繰り出した肥料を導く施肥ホース、６３は苗植付
装置５２の植付け位置よりも走行車体２の前部に設けられ肥料が入る溝を土壌面に掘りつ
つ施肥ホース６２から導かれた肥料を土壌に吐出する施肥ガイドである。
【００２８】
さらに図１，図２において、７１は土壌の肥料濃度を検出する肥料濃度センサ、７１ａは
左右の走行車輪１０に設けられて土壌中に突入しその通電抵抗または電気伝導度を検出す
る左右一対の検出子、７２はフロントカバー３２に内蔵され肥料濃度センサ７１の検出デ
ータに基づいて繰出量変更手段６１を制御し施肥装置５の施肥量を変更する制御装置、７
３は土壌の温度を検出する温度センサ、７４は圃場の耕盤深さを検出する耕盤深さセンサ
、７５は上空の複数個の衛星からＧＰＳ（※１）信号を受信して自身の位置データを取得
するＧＰＳ受信機、７５ｍはＧＰＳ受信機７５の作動ランプ、７６はＧＰＳ受信機７５が
取得した位置データ毎に圃場内各所における肥料濃度および施肥量のデータを記憶するデ
ータボックスである。
【００２９】
（※１）ＧＰＳ……Ｇｌｏｂａｌ  Ｐｏｓｉｔｉｏｎｉｎｇ  Ｓｙｓｔｅｍ［英］の略。
全地球測位システム。
【００３０】
次に動作について説明する。
走行車体２が圃場を走行すると、肥料ホッパ６０内の肥料が繰出量変更手段６１および施
肥ホース６２を介して施肥ガイド６３からセンサフロート５５，サイドフロート５６の前
側の土壌に吐出され、センサフロート５５，サイドフロート５６が滑走して整地した土壌
に対し苗植付装置５２が苗載台５１の苗を植付ける。この際に、肥料濃度センサ７１が一
対の検出子７１ａにより左右の走行車輪１０間の土壌の通電抵抗または電気伝導度を検出
して土壌の肥料濃度を検出する。
【００３１】
ここで従来の苗移植機の場合は、土壌の温度を検出する手段を備えていないため、土壌の
温度による肥料濃度センサの検出データの補正を行うことができず、温度による土壌の通
電抵抗または電気伝導度の変化をそのまま認識してしまうため、同じ圃場であっても植付
作業を行う時の気象条件によって施肥量にバラつきが生じることがあり、適量の施肥がで
きないことがあった。
【００３２】
これに対し苗移植機１は、温度センサ７３により土壌の温度を検出し、制御装置７２が、
温度センサ７３の検出データに基づき肥料濃度センサ７１の検出データを補正し、この補
正後の検出データに基づき繰出量変更手段６１を制御して肥料繰出量を増減変更し施肥装
置５の施肥量を変更するようにしている。これにより、土壌の温度の違いによる通電抵抗
または電気伝導度の変化に合わせて施肥量を適量に変更できるようになり、簡易な測定方
法で施肥精度を向上させることができる。
【００３３】
ここで検出データの補正は、通電抵抗または電気伝導度を補正しても良いし、通電抵抗ま
たは電気伝導度から求めた肥料濃度を補正しても良い。
【００３４】
なお図１，図２に示すように、温度センサ７３をセンサフロート５５に設ける構成とする
ことで、圃場の凹凸に追従して苗植付部４が上下動しても温度センサ７３は土壌中に位置
し続けるようになり、一定の表土深さの温度検出が可能となって、温度センサ７３の検出
が途切れることがなく、施肥精度がいっそう向上する。
【００３５】
また図３の要部上面図に示すように、温度センサ７３をサイドフレーム５５ｆとフロート
調節アーム５５ａ間に設ける構成とすることで、植付深さを変更しても温度センサ７３は
サイドフレーム５５ｆとフロート調節アーム５５ａ間の空間部分をすり抜けて、コンパク
トに構成可能となる。
【００３６】
さらに図４の要部側面図に示すように、温度センサ７３をセンサフロート５５の回動支点
５５ｐ近傍に設ける構成、つまり図４の温度センサ７３と回動支点５５ｐ間の距離Ｌをで
きるだけ短くすることで、センサフロート５５のピッチング変動によっても、温度センサ
７３の深さ変動を抑制することが可能となり、温度センサ７３の狂いが少なくなる。
【００３７】
さらに図５の斜視図に示すように、温度センサ取付部７３ａの温度センサベース後端７３
ｂを土壌側に曲げてＬ字形の折り返しを設ける構成とすることで、温度センサ７３によっ
て付いた土壌の溝を温度センサベース後端７３ｂで塞ぐことが可能となる。
【００３８】
さらに図１に示すように、圃場の耕盤深さを検出する耕盤深さセンサ７４を施肥ガイド６
３より走行車体２の前部に設け、制御装置７２が耕盤深さセンサ７４の検出データに基づ
き繰出量変更手段６１を制御して施肥装置５の施肥量を変更するようにすることで、従来
の苗移植機では不可能だった耕盤深さの変化に合わせて適量に施肥量を変更することがで
きるので、施肥精度がいっそう向上させられるようになる。なお、本実施例では耕盤深さ
センサ７４として超音波センサを使用することにより、泥などがセンサに付着しても計測
に影響のないようにしている。
【００３９】
さらに図６の要部側面図に示すように、耕盤深さセンサ７４をセンターマスコット３３上
に上下方向にスライド可能に設ける構成としても良い。該構成により、圃場の深さや土質
などの作業条件に合わせて耕盤深さセンサ７４をセンターマスコット３３に沿って上下方
向に移動させ、取付位置を調節することができるので、耕盤深さセンサ７４の感知部分に
泥が付着することが防止され、耕盤深さが常に適切に感知されて施肥量が適正な値に補正
されるため、施肥精度が向上する。
さらに、作業者が耕盤深さセンサ７４の感知部分に付着した泥を除去する作業が必要なく
、作業能率が向上すると共に、メンテナンス性が向上する。
【００４０】
さらに、図７の要部正面図に示すように、フロアステップ３５より上方で、かつ、フロア
ステップ３５より外側の位置となるように耕盤深さセンサ７４を走行車体２に設ける構成
としても良い。このことにより、田植作業の邪魔になることなく、また、圃場面から上方
に大幅に離間した位置に耕盤深さセンサ７４が配置されるため、耕盤深さセンサ７４の感
知部分に泥が付着することが防止され、耕盤深さが常に適切に感知されて施肥量が適正な
値に補正されるため、施肥精度が向上する。
【００４１】
さらに図１，図２に示すように、ＧＰＳ受信機７５とデータボックス７６とを走行車体２
に設け、ＧＰＳ受信機７５で取得した位置データ毎に圃場内各所における肥料濃度および
施肥量のデータをデータボックス７６が記憶するとともに、制御装置７２が、走行車体２
を所望の走行経路で走行するよう操舵ハンドル３４などを制御しつつ、データボックス７
６に記憶されたデータに基づき繰出量変更手段６１を制御して施肥装置５の施肥量を変更
するようにしても良い。
【００４２】
このことにより、同じ圃場や環境の似た圃場で施肥作業を行う際の基準となるデータを取
得できるので、制御装置７２に取得したデータを記憶させ、このデータに基づいて施肥装
置５の施肥量を自動的に変更させることにより、次回以降の施肥精度が向上する。
また、取得したデータボックス７６内のデータに基づき最適な施肥作業を行うことができ
るとともに、制御装置７２が走行車体２を所望の走行経路で走行するよう制御するように
なり、作業の無人化を図ることができる。
【００４３】
さらに図１，図２，図７に示すように、予備苗載台３８の最上部段にデータボックス７６
を設ける構成としても良い。このことにより、畦からの苗補給性の向上を図れるようにな
り、加えて、この構成の際に図７に示すように、データボックス７６のフタ部分７６ｃは
外側に開く構成とすれば、機体上よりデータボックス７６内の確認および調整を容易に行
うことが可能となる。
【００４４】
さらに図１に示すように、ＧＰＳ受信機７５を機体中央部最上方の固定部分に、例えば操
作パネル３９の上部などに設ける構成としても良い。このことにより、ＧＰＳ受信機７５
の周辺部材に邪魔されずＧＰＳ受信機７５の高感度化が確保できるようになり、加えて、
この構成の際に図１に示すように、運転席３１よりＧＰＳ受信機７５の作動ランプ７５ｍ
が目視できる構成とすれば、運転席３１に座ったままＧＰＳ受信機７５の作動が確認でき
るようになる。
【００４５】
さらに、肥料濃度センサ７１の検出データと温度センサ７３の検出データと耕盤深さセン
サ７４の検出データとを統合し、この統合したデータに基づき、制御装置７２が繰出量変
更手段６１を制御して施肥装置５の施肥量を変更するようにしても良い。このことにより
、作業条件の変化に追従して施肥量を適量に変更させることができるようになり、施肥精
度がいっそう向上するとともに、様々な作業条件に適応可能となる。
【００４６】
続いて、走行車輪１０の周辺の構成について説明する。
図８，図９はそれぞれ一方の走行車輪周辺の構成を示す側面図および断面図であり、図１
０はフロントアクスルカバー内の構成を示す要部側面図である。ただし図９の補助線Ｈよ
り下側の走行車輪およびフロントアクスルカバー部分では、それぞれ図８のＳ２−Ｓ２断
面図および図１０のＳ３−Ｓ４−Ｓ５断面図を図示している。
【００４７】
図８〜図１０において、８０は走行車輪１０の車軸、８１は車軸８０と一体回転し検出子
７１ａに接続するスリップリングの回転側電極、８２は車軸８０を支持するフロントアク
スルカバー、８２ｏ，８２ｉはそれぞれフロントアクスルカバー８２の外側フロントアク
スルカバーおよび内側フロントアクスルカバー、８３はフロントアクスルカバー８２内に
設けられ回転側電極８１と接触する接触子の固定側電極である。回転側電極８１および固
定側電極８３は、いずれか一方をリング状に構成し、他方を接触子とする。
【００４８】
また図８〜図１０において、８４は下側ほど走行車体２の左右方向外側に偏位する上下方
向のキングピン軸、８５はキングピン軸８４から車軸８０へ伝動する一対のベベルギヤ、
８６は固定側電極８３へ導電する電線、８７は機体正面視でキングピン軸８４に沿って下
側ほど走行車体２の左右方向外側に偏位させて配置された案内パイプ、８８は回転側電極
８１へ導電する電線、８９は電線８８を通すための孔、９０は走行車輪１０のスポーク部
、９１はスポーク部９０に検出子７１ａを固定する一対の固定具、９２は走行車輪１０の
ホイルキャップ、９２ｗはホイルキャップ９２に形成した泥除け壁、９３はフロントアク
スルである。
【００４９】
検出子７１ａは、その外周が走行車輪１０の外形よりも小径の円形状に構成され、検出子
７１ａの円形の中心を車軸８０とし、走行車輪１０の左右幅内つまり走行車体２側にそれ
ぞれ配置されている。そして、車軸８０と一体回転し検出子７１ａに接続する回転側電極
８１と、車軸８０を支持するフロントアクスルカバー８２内に設けられ回転側電極８１に
接触する固定側電極８３とを設け、検出子７１ａで検出した通電抵抗または電気伝導度を
導電するようにしている。
【００５０】
このことにより、圃場を走行する際に常に検出子７１ａの一部が土壌中に接触するように
なり、確実に土壌の肥料濃度を検出することができる。加えて、特許文献１の苗移植機で
は検出子の検出データを導電するための具体的構成が明らかにされていないという課題が
あるが、この発明の苗移植機１では、回転側電極８１および固定側電極８３から構成され
るスリップリングシステムを検出子７１ａに接続しており、走行車輪１０とともに回転す
る検出子７１ａの検出データを確実に導電することができる。
【００５１】
また、下側ほど走行車体２の左右方向外側に偏位する上下方向のキングピン軸８４と、こ
のキングピン軸８４から車軸８０へ伝動する一対のべベルギヤ８５とを備え、固定側電極
８３へ導電する電線８６を、機体正面視でキングピン軸８４に沿って下側ほど走行車体２
の左右方向外側に偏位させて配置しているので、電線８６が走行車輪１０に接触しない構
成とすることができるとともに、旋回時に電線８６が移動する距離を小さくすることがで
きるようになり、電線８６が切れて肥料濃度センサ７１が機能停止することを防止できる
。
【００５２】
さらに、回転側電極８１へ導電する電線８８を通すための孔８９を車軸８０に形成してい
るので、電線８８を車軸８０の周りに配置できるようになり、コンパクトにフロントアク
スルカバー８２を構成できる。孔８９の代わりに、回転側電極８１へ導電する電線８８を
通すための溝を車軸８０に形成しても良い。
【００５３】
なお、検出子７１ａを走行車輪１０に取付ける際にはスポーク部９０を利用し、図９のＳ
１−Ｓ１断面図である図１１に示すように、ボルト・ナット９４などを用い一対の固定具
９１にて検出子７１ａをスポーク部９０に固定し、図８，図９のように走行車輪１０のリ
ム部を走行車輪１０の全周にわたって覆う泥侵入防止用の泥除け壁９２ｗをホイルキャッ
プ９２の内側つまり中心Ｃ側に設ける構成とする。このことにより、走行車輪１０のリム
部への泥詰まりが防止できる。同時に、一対の固定具９１によりスポーク部９０を利用し
て検出子７１ａを取付けられるので、標準機に対しても検出子７１ａの取付けが簡単にで
きる。
【００５４】
泥除け壁９２ｗの代わりに次のようにしても良い。つまり、走行車輪１０のスポーク部９
０を利用して一対の固定具９１にて検出子７１ａを固定し、検出子７１ａは、図１２の要
部断面図に示すように、走行車輪１０の中心Ｃ側に検出子７１ａの一部をＬ字形に折り曲
げ走行車輪１０のリム部を全周にわたって覆う泥除け壁７１ｗとする構成でも良い。この
ことにより、標準機に検出子７１ａの取付けが簡単にできるとともに、走行車輪１０のリ
ム部への泥詰まりを防止できる。さらに、泥除け壁７１ｗの内周面７１ｗ−ｉおよび外周
面７１ｗ−ｏを絶縁被覆し、泥が深くなっていて泥面ＭＨより下の泥内に泥除け壁７１ｗ
が存在する場合と、泥が浅くなっていて泥面ＭＬより上の泥外に泥除け壁７１ｗが存在す
る場合とで、泥に接する電極面積が急激に変わらないようにし、測定値の変動を抑制して
いる。
【００５５】
また図１で既に示したように、施肥装置５よりも走行車体２の前方のフロントアクスル部
分にて土壌の通電抵抗または電気伝導度を検出する検出子７１ａを設ける構成とすること
で、タイムラグを防止できる。
【００５６】
さらに図７で既に示したように、土壌の通電抵抗または電気伝導度を検出する検出子７１
ａを走行車輪１０の左右幅内に設ける構成とすることで、検出子７１ａを向い合わせにす
ることにより通電抵抗または電気伝導度の検出効果が向上する。
【００５７】
さらに図８，図９に示すように、土壌の通電抵抗または電気伝導度を検出する円形状の検
出子７１ａを走行車輪１０の左右幅内で全周に設ける構成とすることで、圃場深さに関係
なく通電抵抗または電気伝導度の検出が可能となっている。
【００５８】
さらに図９に示すように、走行車輪１０の左右幅内に円形状のリング電極の検出子７１ａ
を設け、検出子７１ａは走行車輪１０の幅Ｗより内側つまり機体正面視で幅Ｗよりも中心
Ｃ側に設ける構成とすることで、走行中の抵抗力が軽減できる。
【００５９】
さらに図８，図９に示すように、走行車輪１０の左右幅内に円形状のリング電極の検出子
７１ａを設け、検出子７１ａはスポーク部９０に絶縁体の固定具９１にて固定する構成と
することで、リング電極の検出子７１ａの取付が簡単でメンテナンス性が向上できる。
【００６０】
さらに図９に示すように、内側フロントアクスルカバー８２ｉと外側フロントアクスルカ
バー８２ｏ間の空間部分に回転側電極８１を設ける構成とすることで、小スペースの空間
部分に回転側電極８１を設けることが可能となる。
【００６１】
さらに図９に示すように、固定側電極８３からの電線８６を案内する案内パイプ８７をフ
ロントアクスル９３と平行に上側に導く構成とすることで、走行車輪１０と案内パイプ８
７間に空間ＳＰが確保でき、泥詰まりが防止できる。
【００６２】
さらに図９に示すように、回転側電極８１からの電線８８を孔８９または溝により車軸８
０を斜めに貫通させ外側に導く構成とすることで、回転側電極８１からの電線８８の取出
しがコンパクトに構成できる。
【００６３】
さらに図９に示すように、ベベルギヤ８５の中心部分を凹状に構成し、内側フロントアク
スルカバー８２ｉを内側方向にずらした構成とすることで、回転側電極８１を構成する空
間スペースが大きく確保できる。
【００６４】
さらに図１３に示すように、検出子７１ａをスポーク部９０に固定する一対の固定具９５
を備え、この一対の固定具９５は、検出子７１ａをスポーク部９０に固定した際に、図１
３（ｂ）の正面図のように、合わせ部を内側に三角状に形成、つまり機体正面視で走行車
輪１０の車軸８０側へ尖ったＶ字形の断面形状を持つように形成しても良い。
【００６５】
このことにより、走行時に泥が跳ねてかかることがあっても、泥は固定具９５の傾斜面９
５ｓに沿って下方に落下案内されるようになり、泥詰まりがおきにくく、作業終了後に泥
を除去する作業が容易になる。また、圃場周辺の路上に泥を落としにくくなるので、この
泥を路上から除去する作業が容易かつ短時間で行えるようになり、作業者の労力が軽減さ
れる。
【００６６】
さらに図１４の断面図に示すように、フロントアクスル回動部９６側に絶縁体のフロント
アクスルカバー９７を設ける構成としても良い。このことにより、検出子７１ａからの電
流がフロントアクスルへ流れるのを防止でき、誤作動を防止できる。
【００６７】
さらに図１５の側面図に示すように、ミッションケース１２下側より露出しているフロン
トアクスル部分に絶縁体のフロントアクスルカバー９８で覆う構成としても良い。このこ
とにより、検出子７１ａからの電流がフロントアクスルへ流れるのを防止でき、誤作動を
防止できる。
【符号の説明】
【００６８】
１  苗移植機、２  走行車体、３  昇降リンク装置、４  苗植付部、５  施肥装置、１０
走行車輪、１１  走行車輪、１２  ミッションケース、３１  運転席、３２  フロント
カバー、３３  センターマスコット、３４  操舵ハンドル、３５  フロアステップ、３８
予備苗載台、３９  操作パネル、５１  苗載台、５２  苗植付装置、５５  センサフロ
ート、５５ａ  フロート調節アーム、５５ｆ  サイドフレーム、５５ｐ  回動支点、５６
サイドフロート、６０  肥料ホッパ、６１  繰出量変更手段、６２  施肥ホース、６３
施肥ガイド、７１  肥料濃度センサ、７１ａ  検出子、７１ｗ  泥除け壁、７１ｗ−ｉ
内周面、７１ｗ−ｏ  外周面、７２  制御装置、７３  温度センサ、７３ａ  温度セン
サ取付部、７３ｂ  温度センサベース後端、７４  耕盤深さセンサ、７５  ＧＰＳ受信機
、７５ｍ  作動ランプ、７６  データボックス、７６ｃ  フタ部分、８０  車軸、８１  
回転側電極、８２  フロントアクスルカバー、８２ｏ  外側フロントアクスルカバー、８
２ｉ  内側フロントアクスルカバー、８３  固定側電極、８４  キングピン軸、８５  ベ
ベルギヤ、８６  電線、８７  案内パイプ、８８  電線、８９  孔、９０  スポーク部、
９１  固定具、９２  ホイルキャップ、９２ｗ  泥除け壁、９３  フロントアクスル、９
４  ボルト・ナット、９５  固定具、９５ｓ  傾斜面、９６  フロントアクスル回動部、
９７，９８  フロントアクスルカバー。
【図１】
0005776026.tif 000002
【図２】
0005776026.tif 000003
【図３】
0005776026.tif 000004
【図４】
0005776026.tif 000005
【図５】
0005776026.tif 000006
【図６】
0005776026.tif 000007
【図７】
0005776026.tif 000008
【図８】
0005776026.tif 000009
【図９】
0005776026.tif 000010
【図１０】
0005776026.tif 000011
【図１１】
0005776026.tif 000012
【図１２】
0005776026.tif 000013
【図１３】
0005776026.tif 000014
【図１４】
0005776026.tif 000015
【図１５】
0005776026.tif 000016